(57)【要約】【課題】  電源機構を有しない表示媒体の紛失を検知し得る画像形成システムを提供することを目的とする。【解決手段】  画像情報と、自己と自己以外とを識別する第１識別情報と、を送信する携帯端末１００と、自己と自己以外とを識別する第２識別情報を具備し、画像情報に応じた画像を表示する光書込型の電子ペーパ２００ａ〜２００ｃと、画像情報と第１識別情報とを受信する識別情報等受信部３０１、第２識別情報を読み取る識別情報読取部３０２、第１識別情報と第２識別情報とを関連付ける識別情報関連付部３０６、第１識別情報及び第２識別情報を識別情報記憶部３０８に保存する識別情報保存部３０７及び受信した第１識別情報と保存された第１識別情報とが一致する場合に、画像情報に応じた画像を電子ペーパ２００ａ〜２００ｃへ書込する画像書込部３０９を具備するライタ３００と、を有することを特徴とする。【選択図】  図１
2010093571.tif 000002
【特許請求の範囲】
【請求項１】
画像情報と、自己と自己以外とを識別する第１識別情報と、を送信する送信手段と、
自己と自己以外とを識別する第２識別情報を具備し、前記画像情報に応じた画像を表示する光書込型の表示媒体と、
前記送信手段から送信された画像情報と第１識別情報とを受信する受信部、前記表示媒体から第２識別情報を読み取る読取部、前記受信部により受信した第１識別情報と、前記読取部により読み取った第２識別情報と、を関連付ける関連付部、前記関連付部により関連付けられた前記第１識別情報及び前記第２識別情報を記憶部に保存する保存部及び前記受信部により受信した第１識別情報と前記記憶部に保存された第１識別情報とが一致する場合に、前記受信部により受信した画像情報に応じた画像を前記表示媒体へ書込む書込部を具備する画像書込手段と、
を有することを特徴とする画像形成システム。
【請求項２】
画像情報と、携帯端末を識別する第１識別情報と、を受信する受信手段と、
光書込型の表示媒体を識別する第２識別情報を読み取る読取手段と、
前記受信手段により受信した第１識別情報と、前記読取手段により読み取った第２識別情報と、を関連付ける関連付手段と、
前記関連付手段により関連付けられた第１識別情報及び第２識別情報を記憶手段に保存する保存手段と、
前記受信手段により受信した第１識別情報と前記記憶手段に保存された第１識別情報とが一致する場合に、前記受信手段により受信した画像情報に応じた画像を前記表示媒体へ書込む書込手段と、
を有することを特徴とする画像書込装置。
【請求項３】
前記書込手段は、さらに、前記読取手段により読み取ったすべての第２識別情報と前記記憶手段に保存されたすべての第２識別情報とが一致する場合に、前記受信手段により受信した画像情報に応じた画像を前記表示媒体へ書込むことを特徴とする請求項２に記載の画像書込装置。
【請求項４】
前記関連付手段により関連付けられた第１識別情報及び第２識別情報の関連付けを解除する解除手段をさらに含むことを特徴とする請求項２又は３に記載の画像書込装置。
【請求項５】
前記解除手段は、前記受信手段が、前記第１識別情報と前記第２識別情報との関連付けの期間を指定する指定期間情報をさらに受信した場合、前記指定期間情報に係る指定期間経過後に、前記関連付手段により関連付けられた第１識別情報及び第２識別情報の関連付けを解除することを特徴とする請求項４に記載の画像書込装置。
【請求項６】
コンピュータを、
画像情報と、携帯端末を識別する第１識別情報と、を受信する受信手段、
光書込型の表示媒体を識別する第２識別情報を読み取る読取手段、
前記受信手段により受信した第１識別情報と、前記読取手段により読み取った第２識別情報と、を関連付ける関連付手段、
前記関連付手段により関連付けられた第１識別情報及び第２識別情報を記憶手段に保存する保存手段、
前記受信手段により受信した第１識別情報と前記記憶手段に保存された第１識別情報とが一致する場合に、前記受信手段により受信した画像情報に応じた画像を前記表示媒体へ書込む書込手段、
として機能させることを特徴とする画像書込プログラム。
【発明の詳細な説明】
【技術分野】
【０００１】
本発明は、画像形成システム、画像書込装置及び画像書込プログラムに関する。
【背景技術】
【０００２】
携帯端末から送信された画像を表示媒体（例えば電子ペーパ）へ書込む技術が知られている。また、電源機構を有する表示媒体が、通信端末装置との無線通信により監視され、無線接続が切られたときに、その画像表示媒体がアラーム音を発する技術が知られている（例えば、特許文献１参照）。
【０００３】
【特許文献１】特開２００５−１１４９１０号公報
【発明の開示】
【発明が解決しようとする課題】
【０００４】
本発明は、電源機構を有しない表示媒体の紛失を検知し得る画像形成システム、画像書込装置及び画像書込プログラムを提供することを目的とする。
【課題を解決するための手段】
【０００５】
請求項１に記載の発明は、画像情報と、自己と自己以外とを識別する第１識別情報と、を送信する送信手段と、自己と自己以外とを識別する第２識別情報を具備し、画像情報に応じた画像を表示する光書込型の表示媒体と、送信手段から送信された画像情報と第１識別情報とを受信する受信部、表示媒体から第２識別情報を読み取る読取部、受信部により受信した第１識別情報と、読取部により読み取った第２識別情報と、を関連付ける関連付部、関連付部により関連付けられた第１識別情報及び第２識別情報を記憶部に保存する保存部及び受信部により受信した第１識別情報と記憶部に保存された第１識別情報とが一致する場合に、受信部により受信した画像情報に応じた画像を表示媒体へ書込む書込部を具備する画像書込手段と、を有することを特徴とする画像形成システムである。
【０００６】
請求項２に記載の発明は、画像情報と、携帯端末を識別する第１識別情報と、を受信する受信手段と、光書込型の表示媒体を識別する第２識別情報を読み取る読取手段と、受信手段により受信した第１識別情報と、読取手段により読み取った第２識別情報と、を関連付ける関連付手段と、関連付手段により関連付けられた第１識別情報及び第２識別情報を記憶手段に保存する保存手段と、受信手段により受信した第１識別情報と記憶手段に保存された第１識別情報とが一致する場合に、受信手段により受信した画像情報に応じた画像を表示媒体へ書込む書込手段と、を有することを特徴とする画像書込装置である。
【０００７】
請求項３に記載の発明は、請求項２に記載の発明において、書込手段は、さらに、読取手段により読み取ったすべての第２識別情報と記憶手段に保存されたすべての第２識別情報とが一致する場合に、受信手段により受信した画像情報に応じた画像を表示媒体へ書込むことを特徴としている。
【０００８】
請求項４に記載の発明は、請求項２又は３に記載の発明において、関連付手段により関連付けられた第１識別情報及び第２識別情報の関連付けを解除する解除手段をさらに含むことを特徴としている。
【０００９】
請求項５に記載の発明は、請求項４に記載の発明において、解除手段は、受信手段が、第１識別情報と第２識別情報との関連付けの期間を指定する指定期間情報をさらに受信した場合、指定期間情報に係る指定期間経過後に、関連付手段により関連付けられた第１識別情報及び第２識別情報の関連付けを解除することを特徴としている。
【００１０】
請求項６に記載の発明は、コンピュータを、画像情報と、携帯端末を識別する第１識別情報と、を受信する受信手段、光書込型の表示媒体を識別する第２識別情報を読み取る読取手段、受信手段により受信した第１識別情報と、読取手段により読み取った第２識別情報と、を関連付ける関連付手段、関連付手段により関連付けられた第１識別情報及び第２識別情報を記憶手段に保存する保存手段、受信手段により受信した第１識別情報と記憶手段に保存された第１識別情報とが一致する場合に、受信手段により受信した画像情報に応じた画像を前記表示媒体へ書込む書込手段、として機能させることを特徴とする画像書込プログラムである。
【発明の効果】
【００１１】
請求項１に記載の発明によれば、電源機構を有しない表示媒体の紛失を検知できる。
【００１２】
請求項２に記載の発明によれば、電源機構を有しない表示媒体の紛失を検知できる。
【００１３】
請求項３に記載の発明によれば、読み込んだ表示媒体の識別情報のすべてと、保存された表示媒体の識別情報のすべてが一致した場合でなければ、画像が表示媒体に書込まれなくなる。
【００１４】
請求項４に記載の発明によれば、携帯端末を識別する第１識別情報と表示媒体を識別する第２識別情報との関連付けを解除できる。
【００１５】
請求項５に記載の発明によれば、携帯端末を識別する第１識別情報と表示媒体を識別する第２識別情報との関連付けに関連付けの期間が指定されている場合、その期間が経過すると、関連付けが解除される。
【００１６】
請求項６に記載の発明によれば、電源機構を有しない表示媒体の紛失を検知できる。
【発明を実施するための最良の形態】
【００１７】
以下、本発明の実施形態について図面を参照して説明する。
【００１８】
（第１実施形態）
図１は、本発明の画像形成システムの実施形態を示す構成図である。
【００１９】
まず、携帯端末１００について説明する。
【００２０】
画像形成システムは、図１に示すように、携帯端末１００、画像表示媒体２００及び画像書込装置３００等を含んで構成される。
【００２１】
携帯端末１００は、同図に示すように、操作部１０１、表示部１０２等を含んで構成される。これらの部分以外にも、携帯端末１００の内部に記憶部、送信部、受信部等を含んで構成される。携帯端末１００には例えば携帯電話がある。
【００２２】
記憶部は、携帯端末１００に割り当てられた、自己の携帯端末１００と自己以外の携帯端末１００とを識別する携帯端末識別情報（以下、携帯端末ＩＤという。）や、画像表示媒体（以下、電子ペーパという。）に表示させる画像に係る画像情報を記憶する。尚、画像情報は、例えばインターネット上のＷｅｂサイトから取得するようにしてもよい。
【００２３】
送信部は、操作部１０１が利用者に操作されると、その操作に応じて、記憶部に記憶された携帯端末ＩＤ及び／又は画像情報を送信する。また、携帯端末ＩＤと後述するライタＩＤ、電子ペーパＩＤとを画像書込装置（以下、単にライタという。）３００に関連付けさせる関連付指示を送信したり、この関連付けを解除させる解除指示を送信したりもする。画像情報等の送信は、例えば無線通信で行われ、望ましくは赤外線通信で行われる。送信の際には、暗号化されていることが好ましい。
【００２４】
受信部は、操作部１０２が利用者に操作されると、その操作に応じて、ライタ３００から関連付けされた携帯端末ＩＤ等を受信する。
【００２５】
表示部１０２は、関連付指示や解除指示等、操作に要する画像を表示したり、関連付けされた携帯端末ＩＤ等を表示したりする。
【００２６】
次に、電子ペーパ２００ａ〜２００ｃについて説明する。
【００２７】
電子ペーパ２００ａ〜２００ｃは、それぞれ記憶部２０１、画像受信部２０２、表示部２０３等を含んで構成される。尚、電子ペーパ２００ａ〜２００ｃは、書換可能（rewritable）な電子ペーパであることが望ましい。
【００２８】
記憶部２０１は、例えば無線ＩＣタグ等の非接触型素子で構成される。記憶部２０１は、電子ペーパ２００ａを他の電子ペーパ２００ｂ，２００ｃ等と識別する電子ペーパ識別情報（以下、電子ペーパＩＤという。）を記憶している。
【００２９】
画像受信部２０２は、ライタ３００における後述する画像書込部３０９と接触し、ライタ３００が保持する画像情報を受信する。
表示部２０３は、画像受信部２０２が受信した画像情報に応じた画像を表示する。
【００３０】
最後に、ライタ３００について説明する。
【００３１】
ライタ３００は、識別情報等受信部３０１、識別情報読取部３０２、載置台３０３、蓋体３０４、挿排部３０５等を含んで構成される。
【００３２】
識別情報等受信部３０１は、携帯端末１００から送信された画像情報や携帯端末ＩＤ等の各種情報、関連付指示や解除指示等の各種指示を受信する。識別情報等受信部３０１は、例えば受光機器等で構成される。
【００３３】
識別情報読取部３０２は、電子ペーパ２００ａが有する電子ペーパＩＤを読み取る。具体的には、電子ペーパ２００ａが載置台３０３に載置されたり、電子ペーパ２００ａ〜２００ｃが挿排部３０４に挿入されたり、電子ペーパ２００ａの記憶部２０１がこの識別情報読取部３０２に近づけられたりすると、電子ペーパＩＤの読取処理が行われる。同図に示すように、複数の電子ペーパ２００ａ〜２００ｃがある場合には、すべての電子ペーパＩＤを読み取る。識別情報読取部３０２は、例えば無線ＩＣタグリーダ等の非接触型読取素子で構成される。
【００３４】
載置台３０３は、１枚の電子ペーパ２００ａを載せて置くための台である。電子ペーパ２００ａが載置台３０３に載置され、蓋体３０５が閉じられて、書込を開始するスイッチ等が押下されると、電子ペーパ２００ａに、ライタ３００が保持する画像情報が後述する画像書込部３０９を介して送信される。
【００３５】
尚、同図に示すように、ライタ３００に、例えば複数の切り欠き等で形成された挿排部３０５を構成するようにしてもよい。挿排部３０４には、複数の電子ペーパ２００ａ〜２００ｃがそれぞれ挿入されたり、排出されたりする。ライタ３００の内部に複数の画像書込部３０９を構成すれば、複数の電子ペーパ２００ａ〜２００ｃに対して１つの画像の書込む場合、１度の指示で行われるようになる。
【００３６】
ここで、上述したライタ３００の詳細について図２及び図３を参照して説明する。
【００３７】
図２は、ライタ３００の要部構成を例示する機能ブロック図、図３は、ライタ３００のハードウェア構成を例示するブロック図である。
【００３８】
ライタ３００は、図２に示すように、識別情報等受信部３０１、識別情報読取部３０２、識別情報関連付部３０６、識別情報保存部３０７、識別情報記憶部３０８、画像書込部３０９等も含んで構成される。尚、図１に示すライタ３００の各部と同様の構成には同一符号を付し、その説明を省略する。
【００３９】
識別情報関連付部３０６は、識別情報等受信部３０１が受信した携帯端末ＩＤと、識別情報読取部３０２が読み取った電子ペーパＩＤと、各ライタ３００に割り当てられ、識別情報記憶部３０８に記憶されているライタ識別情報（以下、ライタＩＤという。）とを関連付ける。関連付けられた携帯端末ＩＤ、電子ペーパＩＤ及びライタＩＤは、識別情報保存部３０７に送信される。
【００４０】
識別情報保存部３０７は、識別情報関連付部３０６から送信された携帯端末ＩＤ等を識別情報記憶部３０８に保存する。したがって、識別情報記憶部３０８には、それぞれが関連付けられた携帯端末ＩＤ、電子ペーパＩＤ及びライタＩＤが記憶される。
【００４１】
画像書込部３０９は、識別情報等受信部３０１により受信した携帯端末ＩＤと識別情報記憶部３０８に保存された携帯端末ＩＤとが一致し、識別情報読取部３０２により読み取った電子ペーパＩＤの総数と識別情報記憶部３０８に保存された電子ペーパＩＤの総数とが一致する場合に、識別情報等受信部３０１により受信した画像情報に応じた画像を電子ペーパ２００ａ〜２００ｃへ書込む。また、必要に応じて、識別情報読取部３０２により読み取ったすべての電子ペーパＩＤと識別情報記憶部３０８に保存されたすべての電子ペーパＩＤとが一致する場合に、識別情報等受信部３０１により受信した画像情報に応じた画像を電子ペーパ２００ａ〜２００ｃへ書込むようにしてもよい。
【００４２】
尚、この画像書込部３０９は、例えば蓋体３０５の裏面や、ライタ３００の内部等に構成される。例えば、載置台３０４に載置された電子ペーパ２００ａの画像受信部２０２は、蓋体３０５の裏面に構成された画像書込部と接触する。したがって、電子ペーパ２００ａとライタ３００とは、この接触面から画像情報の通信を行う。また、例えば、挿排部３０４に挿入された各電子ペーパ２００ａ〜２００ｃの画像受信部２０２は、ライタ３００の内部に構成された画像書込部と接触する。
【００４３】
ここで、上述したライタ３００は、図３に示すように、ＣＰＵ３００ａ、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ３００ｂ、フラッシュメモリ等のＲＯＭ(Read Only Memory)３００ｃ及び入出力を制御するＩ／Ｏインタフェース３００ｄ等がバス３００ｅにより接続されたハードウェア構成等により実現される。
【００４４】
したがって、ＣＰＵ３００ａがＲＡＭ３００ｂやＲＯＭ３００ｃ等の記憶装置に格納された所要のプログラムを読み込み、当該プログラムに従った演算を行うことにより、上述したライタ３００の各機能が実現される。携帯端末１００についても概ね同様の構成である。尚、このようなプログラムとしては後述するフローチャートに応じたプログラムとすることができる。
【００４５】
続いて、画像形成システムの動作について説明する。
【００４６】
まず、携帯端末ＩＤ等の関連付処理について図４から図６を参照して説明する。
【００４７】
図４は、携帯端末１００における操作画面の一例、図５は、ライタ３００における関連付処理の動作の一例を示すフローチャート、図６は、識別情報等記憶部３０８におけるデータ構造の一例である。
【００４８】
携帯端末１００は、図４（ａ）に示すように、自己の表示部１０２に関連付画面を表示する。関連付画面は、関連付の開始を指示する「開始」ボタンと、ライタ３００に保存されており、すでに関連付けがなされた携帯端末ＩＤ等の表示を指示する「表示」ボタンとを有する。携帯端末１００の操作部１０１が利用者によって操作され、「開始」ボタンが指示されると、関連付指示と自己の携帯端末ＩＤが送信される。一方、「表示」ボタンが指示されると、表示指示が送信され、同図（ｂ）に示すように、ライタ３００が保持する関連付済の携帯端末ＩＤ等が表示部１０２に表示される。
【００４９】
ライタ３００の識別情報等受信部３０１は、図５に示すように、携帯端末１００からの関連付指示を受信したか否かを判定し（ステップＳ１）、関連付指示を受信したと判定した場合には、さらに、携帯端末ＩＤを受信する（ステップＳ２）。
【００５０】
ライタ３００の識別情報読取部３０２は、次いで、電子ペーパ２００ａ〜２００ｃが読取可能な程度にまで接近したか否かを判定し（ステップＳ３）、接近したと判定した場合、電子ペーパ２００ａ〜２００ｃと通信し、その電子ペーパ２００ａ〜２００ｃが有する電子ペーパＩＤを読み取る（ステップＳ４）。ここで、読取可能とは、例えばライタ３００に載置されたり、挿入されたりすることが含まれる。
【００５１】
ライタ３００の識別情報関連付部３０６は、次いで、識別情報等受信部３０１が受信した携帯端末ＩＤと、識別情報読取部３０２が読み取った電子ペーパＩＤと、識別情報記憶部３０８が記憶するライタＩＤとを関連付ける（ステップＳ５）。ライタＩＤの関連付けは、必要に応じて行えばよい。
【００５２】
ライタ３００の識別情報保存部３０７は、次いで、関連付けられた携帯端末ＩＤ、電子ペーパＩＤ及びライタＩＤを識別情報記憶部３０８に保存する（ステップＳ８）。この結果、識別情報記憶部３０８には、図６に示すように、関連付ＩＤにより関連付がなされた携帯端末ＩＤ、ライタＩＤ及び一又は複数の電子ペーパＩＤが記憶される。例えば、同図に示すように、携帯端末ＩＤ「Ｍ００１」と、ライタＩＤ「Ｗ００１」と、複数の電子ペーパＩＤ「ＥＰ００１」，「ＥＰ００２」〜「ＥＰ００９」とが関連付ＩＤ「Ｒ００１」により関連付けられている。尚、電子ペーパＩＤの、携帯端末ＩＤ等との関連付けの数は、適宜、変更するようにしてもよい。
【００５３】
次に、ライタ３００における画像書込処理について図７を参照して説明する。
【００５４】
図７は、 ライタ３００における画像書込処理の動作の一例を示すフローチャートである。
【００５５】
ライタ３００の識別情報等受信部３０１は、まず、携帯端末１００から画像書込指示を受信したか否かを判定し（ステップＳ１１）、画像書込指示を受信したと判定した場合には、携帯端末ＩＤと、電子ペーパ２００ａ等に書込むべき画像に係る画像情報を受信する（ステップＳ１２）。
【００５６】
ライタ３００の識別情報読取部３０２は、次いで、電子ペーパ２００ａが載置台３０３に載置されたか否かを判定し（ステップＳ１３）、電子ペーパ２００ａが載置されたと判定した場合には、電子ペーパ２００ａの電子ペーパＩＤを読み取る（ステップＳ１４）。
【００５７】
ライタ３００の画像書込部３０９は、ここで、識別情報等受信部３０１が受信した携帯端末ＩＤと、識別情報記憶部３０８に記憶された携帯端末ＩＤとが一致するか否かを判定する（ステップＳ１５）。
【００５８】
例えば、図６に示すように、識別情報記憶部３０８に保持された携帯端末ＩＤが「Ｍ００１」、・・・、「Ｍ００４」である場合に、識別情報等受信部３０１が受信した携帯端末ＩＤが「Ｍ００９」であるときには、携帯端末ＩＤが一致しないと判定し、処理を終了する。したがって、関連付処理がなされていない携帯端末１００から画像情報を送信しても、その画像情報に係る画像は、電子ペーパ２００ａに書込まれない。
【００５９】
ライタ３００の画像書込部３０９は、ステップＳ１５の処理において、双方の携帯端末ＩＤが一致したと判定した場合には、次いで、識別情報読取部３０２が読み取った電子ペーパＩＤの総数と、識別情報記憶部３０８に記憶された電子ペーパＩＤの総数とが一致するか否かを判定する（ステップＳ１６）。
【００６０】
例えば、識別情報等受信部３０１が受信した携帯端末ＩＤが「Ｍ００３」である場合に、図６に示すように、識別情報記憶部３０８に記憶された携帯端末ＩＤに「Ｍ００３」があり、双方の携帯端末ＩＤが一致すると判定したものの、識別情報読取部３０２が読み取った電子ペーパＩＤの総数が「２枚」であるのに対し、識別情報記憶部３０８に記憶された電子ペーパＩＤの総数が「３枚」であるとき、電子ペーパＩＤの総数が一致しないと判定し、処理を終了する。
【００６１】
したがって、例えば、複数の電子ペーパ２００ａ，２００ｂがライタ３００に挿入されていても、その総数が、ライタ３００に保持された電子ペーパＩＤの総数と一致しなければ、携帯端末１００から画像情報を送信しても、その画像情報に係る画像は、電子ペーパ２００ａ，２００ｂに書込まれない。このため、利用者は、電子ペーパの書込処理が停止すると、挿排部３０４に挿入した電子ペーパ２００ａ，２００ｂ以外の電子ペーパを紛失した可能性があると判断する。
【００６２】
ライタ３００の画像書込部３０９は、ステップＳ１６の処理において、識別情報読取部３０２が読み取った電子ペーパＩＤの総数と、識別情報記憶部３０８に記憶された電子ペーパＩＤの総数とが一致すると判定した場合、さらに、これらの電子ペーパＩＤのすべてが一致するか否かを判定する（ステップＳ１７）。
【００６３】
例えば、識別情報等受信部３０１が受信した携帯端末ＩＤが「Ｍ００３」であって、識別情報読取部３０２が読み取った電子ペーパＩＤの総数が「２枚」である場合に、図６に示すように、識別情報記憶部３０８に記憶された携帯端末ＩＤに「Ｍ００３」があり、その携帯端末ＩＤに関連付けられた電子ペーパＩＤの総数が「２枚」であり、双方の携帯端末ＩＤ及び電子ペーパＩＤの総数が一致すると判定したものの、識別情報読取部３０２が読み取った電子ペーパＩＤが「ＥＰ００２」と「ＥＰ０１１」であるのに対し、識別情報記憶部３０８に記憶された電子ペーパＩＤが「ＥＰ０１１」と「ＥＰ０１３」であるとき、電子ペーパＩＤが一致しないと判定し、処理を終了する。
【００６４】
したがって、例えば、２枚の電子ペーパ２００ａ，２００ｂがライタ３００の挿排部３０４に挿入されていても、これらの電子ペーパＩＤが、ライタ３００に保持された電子ペーパＩＤとすべて一致しなければ、携帯端末１００から画像情報を送信しても、その画像情報に係る画像は、電子ペーパに書込まれない。このため、利用者は、電子ペーパの書込処理が停止すると、挿排部３０４に挿入した電子ペーパ２００ａ，２００ｂのいずれか又は双方は、関連付けがなされた電子ペーパと違うものであると認識し、関連付けがなされた電子ペーパを紛失した可能性があると判断する。
【００６５】
ライタ３００の画像書込部３０９は、ステップＳ１７の処理において、識別情報読取部３０２が読み取った電子ペーパＩＤと、識別情報記憶部３０８に記憶された電子ペーパＩＤとがすべて一致すると判定した場合、識別情報等受信部３０１が受信した画像情報を載置又は挿入された電子ペーパ２００ａ等に書込む（ステップＳ１８）。
【００６６】
（第２実施形態）
続いて、本発明の第２実施形態について図８から図１０を参照して説明する。
【００６７】
図８は、ライタ３００の要部構成を例示する他の機能ブロック図である。尚、図１及び図２に示すライタ３００の各部と同様の構成には同一符号を付し、その説明を省略する。
【００６８】
第２実施形態に係るライタ３００は、図８に示すように、識別情報解除部３１０をさらに含む点で第１実施形態に係るライタ３００と相違する。
【００６９】
識別情報解除部３１０は、識別情報等受信部３０１が受信した指示が、解除指示である場合、識別情報記憶部３０８に記憶された携帯端末ＩＤ等の関連付けを解除する。また、解除する電子ペーパＩＤが指定されていたり、各ＩＤを関連付けておく期間の指定が関連付けの際にあったりする場合には、その指定された電子ペーパＩＤの関連付けを解除したり、指定期間後に解除したりする。例えば、図４に示すように、関連付けの際に指定期間の入力がある場合、携帯端末１００入力された指定期間を指定期間情報としてライタ３００に送信する。この場合、識別情報関連付部３０６は、携帯端末ＩＤ等に、さらに、指定期間情報も併せて関連付ける。識別情報解除部３１０は、指定期間情報に係る指定期間を監視し、その指定期間が経過した場合、関連付けられた携帯端末ＩＤ、ライタＩＤ、電子ペーパＩＤの関連付けを解除する。
【００７０】
図９は、携帯端末１００における操作画面の一例、図１０は、ライタ３００の動作の一例を示すフローチャートである。
【００７１】
携帯端末１００は、図９に示すように、自己の表示部１０２に関連付解除画面を表示する。関連付画面は、関連付の解除を指示する「解除」ボタン等を有する。必要に応じて、解除すべき電子ペーパＩＤを指定する指定欄を構成するようにしてもよい。携帯端末１００の操作部１０１が利用者によって操作され、「解除」ボタンが指示されると、解除指示と自己の携帯端末ＩＤが送信される。電子ペーパＩＤが指定されている場合には、その電子ペーパＩＤも送信される。
【００７２】
ライタ３００の識別情報部３０１は、図１０に示すように、携帯端末１００からの解除指示を受信したか否かを判定し（ステップＳ２１）解除指示を受信したと判定した場合には、識別情報記憶部３０８に記憶された携帯端末ＩＤ、ライタＩＤ及び電子ペーパＩＤの関連付けを解除する（ステップＳ２２）。尚、この際、電子ペーパＩＤが指定されている場合、その指定された電子ペーパＩＤを携帯端末ＩＤ等から解除する。
【００７３】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。また、携帯端末における操作画面は、利用者の操作能力や操作性に応じて、適宜、変更するようにしてもよい。さらに、上述した実施形態では、画像書込装置をライタ（writer）として説明したが、その名称は、画像印刷装置（プリンタ）や画像記録装置（レコーダ）等であってもよい。
【図面の簡単な説明】
【００７４】
【図１】画像形成システムの実施形態を示す構成図である。
【図２】ライタの要部構成を例示する機能ブロック図である。
【図３】ライタのハードウェア構成を例示するブロック図である。
【図４】携帯端末における操作画面の一例である。
【図５】ライタにおける関連付処理の動作の一例を示すフローチャートである。
【図６】識別情報等記憶部におけるデータ構造の一例である。
【図７】ライタにおける画像書込処理の動作の一例を示すフローチャートである。
【図８】ライタの要部構成を例示する他の機能ブロック図である。
【図９】携帯端末における操作画面の一例である。
【図１０】ライタの動作の一例を示すフローチャートである。
【符号の説明】
【００７５】
１００  携帯端末
１０１  操作部
１０２  表示部
２００ａ〜２００ｃ  電子ペーパ
２０１  記憶部
２０２  画像受信部
３００  ライタ
３０１  識別情報等受信部
３０２  識別情報読取部
３０３  載置台
３０４  蓋体
３０５  挿排部
３０６  識別情報関連付部
３０７  識別情報保存部
３０８  識別情報記憶部
３０９  画像書込部
３１０  識別情報解除部
【図１】
2010093571.tif 000003
【図２】
2010093571.tif 000004
【図３】
2010093571.tif 000005
【図４】
2010093571.tif 000006
【図５】
2010093571.tif 000007
【図６】
2010093571.tif 000008
【図７】
2010093571.tif 000009
【図８】
2010093571.tif 000010
【図９】
2010093571.tif 000011
【図１０】
2010093571.tif 000012